(57)【要約】【課題】主に、十分な断面強度を得られるようにすると共に、漏水のリスクをなくせるようにする。【解決手段】中空材２と、中空材２の外表面から斜め上方へ向けて立ち上がる傾斜起立片３とを有する雪止部材１である。  中空材２は、固定部５を有しても良い。  中空材２は、固定部５に設けられた固定孔６と対向する透孔７を有しても良い。  中空材２は、下部に水抜孔８を有しても良い。  また、傾斜した屋根面部材１６と、屋根面部材１６の上部に取付部１７を介して取付けられた太陽電池パネル１８とを備えた屋根構造であって、取付部１７に対し、雪止部材１がスペーサ部材１９を介して太陽電池パネル１８の上面から浮いた状態で取付けられるようにしている。【選択図】図１
2018162558.tif 000002
【特許請求の範囲】
【請求項１】
中空材と、該中空材の外表面から斜め上方へ向けて立ち上がる傾斜起立片とを有することを特徴とする雪止部材。
【請求項２】
請求項１に記載の雪止部材において、
前記中空材は、固定部を有していることを特徴とする雪止部材。
【請求項３】
請求項２に記載の雪止部材において、
前記中空材は、前記固定部に設けられた固定孔と対向する透孔を有していることを特徴とする雪止部材。
【請求項４】
請求項１ないし請求項３のいずれか１項に記載の雪止部材において、
前記中空材は、下部に水抜孔を有していることを特徴とする雪止部材。
【請求項５】
傾斜した屋根面部材と、該屋根面部材の上部に取付部を介して取付けられた太陽電池パネルとを備えた屋根構造であって、
前記太陽電池パネルを取付ける前記取付部に対し、雪止部材がスペーサ部材を介して前記太陽電池パネルの上面から浮いた状態で取付けられていることを特徴とする屋根構造。
【請求項６】
請求項５に記載の屋根構造において、
前記雪止部材は、中空材と、該中空材の外表面から前記屋根面部材の棟側へ傾くように斜め上方へ向けて立ち上がる傾斜起立片とを有するものであることを特徴とする屋根構造。
【請求項７】
請求項６に記載の屋根構造において、
前記雪止部材は、前記中空材に前記取付部に対する固定部を有していることを特徴とする屋根構造。
【請求項８】
請求項７に記載の屋根構造において、
前記雪止部材は、前記中空材の前記固定部に設けられた固定孔と対向する透孔を有していることを特徴とする屋根構造。
【請求項９】
請求項５ないし請求項８のいずれか１項に記載の屋根構造において、
前記雪止部材は、前記中空材の下部に水抜孔を有していることを特徴とする屋根構造。
【請求項１０】
前記請求項１ないし請求項４のいずれか１項に記載の雪止部材、または、
前記請求項５ないし請求項９のいずれか１項に記載の屋根構造を有していることを特徴とする建物。
【発明の詳細な説明】
【技術分野】
【０００１】
この発明は、雪止部材、屋根構造および建物に関するものである。
【背景技術】
【０００２】
住宅などの建物の屋根には、雪止部材を取付けたものが存在している（例えば、特許文献１〜特許文献３参照）。この雪止部材は、積雪時に屋根に積もった雪が一気に下へ滑り落ちないようにするためのものである。
【０００３】
上記特許文献１〜特許文献３の雪止部材は、太陽電池パネルを取付けた屋根に対して取付けるものである。雪止部材には、上記の他に特許文献４〜特許文献６に記載されたようなものも存在している。
【先行技術文献】
【特許文献】
【０００４】
【特許文献１】特開２０１４−１２５７２５号公報
【特許文献２】特開２００３−２６２０１７号公報
【特許文献３】特開平１１−１３１７２９号公報
【特許文献４】特開２０１０−７１０１０号公報
【特許文献５】特開２００８−１５６９８１号公報
【特許文献６】特開２００９−２５６８９４号公報
【発明の概要】
【発明が解決しようとする課題】
【０００５】
しかしながら、特許文献１〜特許文献３に記載された雪止部材は、断面Ｌ型のアングル材や、金属板を曲げ加工して作った板曲げ材などで構成されていたため、断面強度が十分に高くなっているとまではいえず、取付け方によっては強度が不足する可能性があった。
【０００６】
また、上記した雪止部材は、いずれも太陽電池パネルに対して直接接触するように取付けられていたため、太陽電池パネルの上面に沿って屋根を流下してきた雨水の少なくとも一部を雪止部材が受け止めてしまい、受け止めた雨水を雪止部材が太陽電池パネルの下面側へ誘導することで、漏水のリスクを生じさせるおそれがあった。
なお、特許文献４〜特許文献６の雪止部材は、太陽電池パネルを取付けた屋根に対するものではないため、取付け方や基本的な機能などが異なっている。
【０００７】
そこで、本発明は、主に、上記した問題点を解決することを目的としている。
【課題を解決するための手段】
【０００８】
上記課題を解決するために、本発明は、中空材と、該中空材の外表面から斜め上方へ向けて立ち上がる傾斜起立片とを有する雪止部材を特徴としている。
【０００９】
また、本願発明は、傾斜した屋根面部材と、該屋根面部材の上部に取付部を介して取付けられた太陽電池パネルとを備えた屋根構造であって、前記取付部に対し、雪止部材がスペーサ部材を介して前記太陽電池パネルの上面から浮いた状態で取付けられていることを特徴としている。
【発明の効果】
【００１０】
本発明によれば、上記構成によって、十分な断面強度を得ることができると共に、漏水のリスクをなくすことなどができる。
【図面の簡単な説明】
【００１１】
【図１】本実施の形態にかかる雪止部材の縦断面図である。
【図２】図１の雪止部材の部品図であり、（ａ）は平面図、（ｂ）は側面図、（ｃ）は底面図、（ｄ）は端面図である。
【図３】屋根に図１の雪止部材を有する建物の斜視図である。
【図４】平面視矩形状の屋根パネルに対して雪止部材を取付ける様子を示す斜視図である。
【図５】平面視三角形状の屋根パネルに対して雪止部材を取付ける様子を示す斜視図である。
【図６】図３のＡ−Ａ線に沿った断面図である。
【図７】図３のＢ−Ｂ線に沿った断面図である。
【図８】図６の上部の部分拡大図である。
【図９】図７の上部の部分拡大図である。
【図１０】図６または図７の下部の部分拡大図である。
【発明を実施するための形態】
【００１２】
以下、本実施の形態を、図面を用いて詳細に説明する。
図１〜図１０は、この実施の形態を説明するためのものである。
【実施例１】
【００１３】
＜構成＞以下、構成について説明する。
【００１４】
住宅などの建物の屋根に、雪止部材を取付ける。この雪止部材は、積雪時に屋根に積もった雪が一気に下へ滑り落ちないようにするためのものである。
【００１５】
そして、雪止部材を、太陽電池パネルが取付けられた屋根に対して取付けるようにする。  
【００１６】
（１）まず、図１（図２）を用いて、雪止部材１について説明する。
この雪止部材１は、中空材２と、中空材２の外表面から斜め上方へ向けて立ち上がる傾斜起立片３とを有している。
【００１７】
ここで、雪止部材１は、特に通風性を有さないものとなっている。また、雪止部材１は、屋根に上方から設置して取付けるようになっており、屋根に対して係止するような係止部位などを持たないものとなっている。中空材２は、底面部２ａと上面部２ｂと左右の側面部２ｃ，２ｄとを有するほぼ横長四角形状（例えば、長方形状）をした閉断面のものとされる。底面部２ａと上面部２ｂは中空材２の長辺部を構成し、それぞれほぼ同じ長さを有すると共に、底面部２ａは上面部２ｂよりも厚肉とされている。
【００１８】
左右の側面部２ｃ，２ｄは、中空材２の短辺を構成し、それぞれほぼ同じ長さを有すると共に、同じ肉厚とされている。この際、左右の側面部２ｃ，２ｄは、底面部２ａと上面部２ｂの中間の肉厚とされる。この場合、傾斜起立片３が設けられた左側の側面部２ｃが軒先側（低い側）となり、右側の側面部２ｄが棟側（高い側）となるように設置される。
【００１９】
傾斜起立片３は、図中左側の側面部２ｃと上面部２ｂとのコーナー部分の周辺から上方で且つ右側（棟側）に傾斜した状態で一体に設けられる。傾斜起立片３は、底面部２ａよりも厚肉のものとされる。傾斜起立片３の傾斜角度は、左側の側面部２ｃに対して９０°〜１８０°の範囲であれば良いが、この場合には、ほぼ１６０°程度とされる。傾斜起立片３は、左右の側面部２ｃ，２ｄよりも長く、また、底面部２ａおよび上面部２ｂよりも短い長さ、例えば、底面部２ａおよび上面部２ｂのほぼ半分程度の長さとされる。傾斜起立片３は、基部のみが中空材２に固定された状態で自立するようになっているため、傾斜起立片３の基部と上面部２ｂとの間には、強度を向上すると共に応力集中を防ぐための部分的な厚肉部２ｅが設けられている。また、側面部２ｃの上部には、傾斜起立片３と同じ角度で連続する短い屈曲部２ｆが形成されている。傾斜起立片３は、既存のＬ型金具による雪止具と同様の外観形状を中空材２に持たせるための機能を有している。
【００２０】
この中空材２は、例えば、アルミなどの軽金属による押出材などとで構成される。この場合、雪止部材１は、全長に亘って均一の断面を有するものとなる。このように中空材２にアルミなどの軽金属を用いたのは、鉄などと比べてサビなどに強く耐久性や耐候性があるためである。反面、アルミなどの軽金属は、鉄などと比べて材料強度が低くなるが、中空材２を角パイプ状や押出材などとすることで、強度向上を図るようにしている。更に、角パイプ状の中空材２を、荷重がかかる方向が長辺部となるようにすることで、更なる強度向上や断面寸法の小型化が得られるようしている。
【００２１】
（２）中空材２は、固定部５を有している。
【００２２】
ここで、固定部５は、雪止部材１を固定するためのものであり、底面部２ａの中央部を所要範囲に亘って厚肉にすることで中空材２の下部に設けられている。この場合、固定部５は、底面部２ａのほぼ半分に及ぶ範囲に全長に亘って設けられている。固定部５は、傾斜起立片３とほぼ同じ肉厚とされている。
【００２３】
（３）中空材２は、固定部５に設けられた固定孔６と対向する透孔７を有している。
【００２４】
ここで、固定孔６は、中空材２の底面部２ａにおける固定部５（の幅中央部）に設けられている。透孔７は、中空材２の上面部２ｂ（の幅中央部）に設けられている。透孔７は、固定孔６と同心状に、固定孔６よりも大径となるように設けられる。固定孔６および透孔７は、押出材とされた雪止部材１に対して後加工で設けられる。この場合、固定孔６および透孔７は、長尺の雪止部材１の長手方向の両端部近傍にそれぞれ１箇所ずつ合計２箇所設けられている（図２参照）。但し、固定孔６および透孔７の位置や個数については、上記に限るものではない。
【００２５】
（４）中空材２は、下部に水抜孔８を有している。
【００２６】
ここで、水抜孔８は、中空材２の底面部２ａにおける傾斜起立片３の下側となる部分（軒先側の部分）に設けられている。水抜孔８は、固定孔６と透孔７の中間の大きさとされている。水抜孔８は、押出材とされた雪止部材１に対して後加工で設けられる。この場合、水抜孔８は、長尺の雪止部材１の両端部近傍および中央部にそれぞれ１箇所ずつ合計３箇所設けられている（図２参照）。両端部近傍の水抜孔８は、固定孔６よりも端部寄りの位置に設けられている。但し、水抜孔８の位置や個数については、上記に限るものではない。
【００２７】
（５）次に、図３〜図７を用いて屋根構造について説明する。
この屋根構造は、図３に示すように、矩形状をした水平な１つの屋根面１１と、この水平な屋根面１１の周囲を取り囲む台形状をした４つの傾斜した屋根面１２〜１５とを有する寄棟屋根となっている。この場合、水平な屋根面１１と傾斜した屋根面１２〜１５との境界部分が水平な棟（大棟）となる。また、傾斜した屋根面１２〜１５どうしの境界部分が下り棟となる。傾斜した屋根面１２〜１５は、全て同じ角度に傾斜されている。但し、屋根面の構成については、上記に限るものではない。なお、上記した屋根構造には、パラペットなどのような壁を有するものは含まれておらず、雪止部材１も、パラペットの笠木に取付けられるようなものではない。
【００２８】
この際、台形状をした４つの傾斜した屋根面１２〜１５は、それぞれ、図３に示すような四角形状の屋根部材と、図４に示すような三角形状の屋根部材とを組み合わせることなどによって構成することができる。
【００２９】
この屋根構造では、少なくとも傾斜した屋根面１２〜１５は、図６（または図７）に示すように、傾斜した屋根面部材１６と、屋根面部材１６の上部に取付部１７を介して取付けられた太陽電池パネル１８とを備えた太陽電池パネル付屋根となっている。
そして、太陽電池パネル１８を取付ける取付部１７に対し、雪止部材１がスペーサ部材１９を介して太陽電池パネル１８の上面から浮いた状態で取付けられている（または、太陽電池パネル１８の上面に対し隙間部２１を有して設置されている）。
【００３０】
ここで、水平な屋根面１１は、傾斜した屋根面１２〜１５と同様の太陽電池パネル付屋根としても良い。そして、各屋根面１１〜１５を構成する屋根面部材１６は野地板などを有するものとされる。
【００３１】
太陽電池パネル１８の取付部１７は、主に、脚部２２ａと頂部２２ｂとを有する断面ハット型をした太陽電池取付金具２２を有している。太陽電池取付金具２２は、その脚部２２ａが傾斜した屋根面１２〜１５の屋根面部材１６にネジ２３で上方から固定されると共に、その頂部２２ｂに太陽電池パネル１８がネジ２４で上方から固定されるようになっている。
【００３２】
太陽電池取付金具２２には、カバー受金具２５を介して横カバー２６が取付けられるようになっており、取付部１７を構成している。この横カバー２６が太陽電池パネル１８の上面部２ｂに対して上側からほぼ面一状態となるように設置されることで、太陽電池パネル１８の上縁部を覆ったり、太陽電池パネル１８の上縁部間の隙間を塞いだりするようになっている。
【００３３】
そして、この横カバー２６の上にスペーサ部材１９を介して雪止部材１が設置される。雪止部材１は、横カバー２６の幅中央部にネジ２７で上方から固定される。スペーサ部材１９は、上下方向の隙間部２１を形成するためのものであり、スペーサ部材１９には、ゴム製のワッシャーなどが使われる。スペーサ部材１９には８ｍｍ程度の厚みのものが使用される。なお、雪止部材１は、屋根部材に設置された太陽電池パネル１８の幅寸法とほぼ同じ長さのものなどとされている（図４または図５参照）。
【００３４】
（６）そして、上記した屋根構造に取付けられる雪止部材１は、上記したように、中空材２と、中空材２の外表面から屋根面部材１６の棟側へ傾くように斜め上方へ向けて立ち上がる傾斜起立片３とを有するものとされる。
【００３５】
ここで、閉断面を有する中空材２は、長辺となる底面部２ａと上面部２ｂが傾斜した屋根面１２〜１５と平行になるように配置される。傾斜起立片３は、軒先側に位置するように設置される。傾斜起立片３は、屋根面部材１６と垂直な方向に対して棟側へ傾くように向けられる。
【００３６】
（７）上記した屋根構造に取付けられる雪止部材１は、上記したように、中空材２に取付部１７に対する固定部５を有している。
【００３７】
（８）上記した屋根構造に取付けられる雪止部材１は、上記したように、中空材２の固定部５に設けられた固定孔６と対向する透孔７を有している。
【００３８】
ここで、雪止部材１は、透孔７に通したネジ２７を固定孔６へ上から螺着することによって取付部１７に固定される。透孔７はネジ２７が通るように、ネジ２７の頭部よりも大径とされる。
【００３９】
（９）上記した屋根構造に取付けられる雪止部材１は、上記したように、中空材２の下部に水抜孔８を有している。
【００４０】
ここで、水抜孔８は、軒先側に位置するように設置される。
【００４１】
（１０）以下、図３〜図１０を用いて上記雪止部材１、または、上記屋根構造を有する建物について説明する。
【００４２】
建物は、どのようなものであっても良いが、この実施例では工場で予め製造した複数の建物ユニットを建築現場へ輸送して建築現場で組み立てることによって短期間のうちに構築し得るようにしたユニット建物としている。
【００４３】
この場合、ユニット建物などの建物３１は、図３に示すように、建物本体３２を構成する建物ユニット３３（図６または図７参照）と、屋根３４を構成する屋根ユニット３５や屋根パネル３６（図６または図７参照）などを有している。
【００４４】
建物本体３２を構成する建物ユニット３３は、４本の柱の上端部間に天井梁４１（図６、図７中には１本のみ示す）を矩形状に連結すると共に、４本の柱の下端部間に床根梁を矩形状に連結してなるほぼ直方体状をしたボックスラーメン構造のユニットフレームを有している。
【００４５】
図６、図７に示すように、屋根ユニット３５についても、建物ユニット３３と同様に、柱４２や屋根梁４３ａ，４３ｂなどを有するユニットフレームを備えている。屋根パネル３６は、屋根フレーム４４を有している。
【００４６】
そして、水平な屋根面１１は、屋根ユニット３５の上部に設置され、傾斜した屋根面１２〜１５は、屋根パネル３６によって構成されている。上記した屋根面部材１６および太陽電池パネル１８は、屋根パネル３６を構成する屋根フレーム４４に設置されている。
【００４７】
屋根パネル３６は、その上端部を屋根ユニット３５の側部（屋根梁４３ａ，４３ｂや柱など）に対して、水上固定金具４６で固定されると共に、その下端部を下方に位置する建物ユニット３３（の天井梁）の上端部に対して軒元固定金具４８で固定されている。
【００４８】
屋根パネル３６には、軒先側（下側）から棟側（上側）へ向かって太陽電池パネル１８が多段に設置されており、雪止部材１は各段の太陽電池パネル１８の間の位置や、軒先側の太陽電池パネル１８の下縁部の位置などに設置される。
【００４９】
更に詳細には、図８または図９に示すように、水平な屋根面１１では、太陽電池パネル１８は、その端部が、銜え（くわえ）金具５１を用いて水平な屋根面部材１６に固定されており、少なくとも、銜え（くわえ）金具５１の部分を防鳥鋼板５２によって覆うようにしている。また、太陽電池パネル１８の端部には、命綱固定金具５３や破線で示すような太陽電池置き金具５４などを設けることもできる。
【００５０】
また、傾斜した屋根面１２〜１５の上部では、最上段の太陽電池パネル１８の上縁部が、取付部１７を構成する太陽電池取付金具２２によって傾斜した屋根面部材１６に固定されている。この太陽電池パネル１８の端部には、縦カバー受金具５６を介して縦カバー５７が取付けられている。
【００５１】
そして、水平な屋根面１１と傾斜した屋根面１２〜１５とは、段差５８を有して設置されている。この際、水平な屋根面１１の屋根面部材１６と、傾斜した屋根面１２〜１５の屋根面部材１６とは、水平な屋根面１１の屋根面部材１６が上方に位置するように離隔されている。そして、離隔部分には、化粧材６１が設置されている。化粧材６１は、水平面６１ａと垂直面６１ｂと隅切部６１ｃとを有するものとされている。なお、傾斜した屋根面１２〜１５の間にも同様の化粧材６０（図３参照）が設置される。
【００５２】
そして、水平な屋根面１１には、化粧材受材６２が設けられ、また、傾斜した屋根面１２〜１５には、勾配部化粧材６３が設けられており、化粧材６１は化粧材受材６２と勾配部化粧材６３との間に設置されている。
【００５３】
上記した化粧材受材６２は、水平な屋根面１１を構成する屋根面部材１６の縁部に沿って取付けた溝板６４の側面を利用して取付けることができる。溝板６４の端部には、溝板端受金具６５や目地カバー６６（図９参照）などが取付けられる。
【００５４】
上記した勾配部化粧材６３は、傾斜した屋根面１２〜１５における太陽電池パネル１８が設置されていない部分を、太陽電池パネル１８の上面とほぼ面一状態となるように覆い隠すものであり、傾斜した屋根面１２〜１５（の屋根面部材１６など）に対し、水上カバー受金具６７や軒先カバー受金具６８を介して取付けられる。
【００５５】
また、上記した離隔部分では、水平な屋根面１１を構成する屋根面部材１６と、傾斜した屋根面１２〜１５を構成する屋根面部材１６との間に、ルーフィング受金具７１、ルーフィング受け水切り７２、水上受鋼板７３などが設けられており、ルーフィング受け水切り７２の上部には、水平な屋根面１１を構成する屋根面部材１６の上に設置されたシート状のルーフィング材７４の端部の飛び出した部分が重ねられている。
【００５６】
また、必要に応じて、勾配部化粧材６３と化粧材６１との接続部７５と、ルーフィング受け水切り７２と水上受鋼板７３との接続部との間には、下がり防止金具７６などが設けられる。
【００５７】
また、屋根面部材１６を構成する野地板の上にはシート状のルーフィング材７４や下地鋼板などが設置されて屋根３４の防水層を形成しており、その上に太陽電池パネル１８からの配線７７が設置されている。なお、下地鋼板は、棟側から軒先側へ向かって延びる縦葺きのものとされている。
【００５８】
一方、図１０に示すように、傾斜した屋根面１２〜１５の軒先側では、屋根フレーム４４の軒先側の鼻隠し８１に取付けた軒先受金具８２の上部に、取付部１７を構成する太陽電池取付金具２２を介して、最下段の太陽電池パネル１８の下端部が取付けられている。
【００５９】
そして、太陽電池取付金具２２には、（上記したカバー受金具２５と同様の）軒先カバー受金具８３を介して太陽電池パネル１８とほぼ面一となるように（上記した横カバー２６と同様の）軒先水切８４（または軒先カバー）が取付けられており、取付部１７を構成している。この軒先カバー受金具８３および軒先水切８４の上部に、スペーサ部材１９を介して軒先側の雪止部材１が取付けられている。
【００６０】
そして、軒先受金具８２の下部と中間部との間に、閉断面を構成するように鼻先見切受金具８５が取付けられ、鼻先見切受金具８５の上部と軒先受金具８２における太陽電池取付金具２２を設置した部分との間に、軒先受補強金具８６が設置されると共に、鼻先見切受金具８５に鼻先部分を覆い隠すように鼻先見切８７が取付けられている。
【００６１】
更に、鼻先見切受金具８５および鼻先見切８７の側面には、軒樋ブラケット８８を介して軒樋８９が設置されている。
【００６２】
更に、軒先受金具８２の下部と軒天井見切９１との間には、軒天井パネル９２が設置されている。
【００６３】
＜作用効果＞この実施例によれば、以下のような作用効果を得ることができる。
【００６４】
（作用効果１）雪止部材１を、中空材２と傾斜起立片３とを有するものとした。そして、中空材２に設けた傾斜起立片３により、雪止部材１は、必要な雪止め機能を得ることができる。雪止部材１は、傾斜起立片３や中空材２の側面部２ｃなどのような屋根面１２〜１５に対する取付部分が、地上から見上げた時に目隠しとなるため、建物３１の外観を向上することができる。また、中空材２は閉断面であるため、雪止部材１の断面強度を十分に上げることができる。よって、雪止部材１をどのような取付け方にしても、雪止部材１は必要な強度を確保することができる。その結果、例えば、屋根３４を流下してきた雨水Ｗを雪止部材１が受け止めないような取付け方（例えば、太陽電池パネル１８の上面から浮かせる取付け方）などとすることできるようになり、雪止部材１による漏水リスクをなくすことが可能となる。
【００６５】
（作用効果２）固定部５を中空材２に設けた。これにより、断面強度の高い中空材２を雪止部材１の取付けに使うことができる。よって、雪止部材１の取付強度を高めることができる。また、固定部５を中空材２に設けることで、固定部５が外部から目立たないようにすることができ、雪止部材１の見栄えを向上することができる。
【００６６】
（作用効果３）固定部５に設けられた固定孔６と対向する透孔７を中空材２に設けた。これにより、透孔７を通して固定孔６にネジ２７を差し込むことで中空材２を取付けることが可能となる。よって、雪止部材１の取付けを容易且つ確実でしかも見栄え良く行うことができる。
【００６７】
（作用効果４）中空材２の下部に水抜孔８を設けた。これにより、中空材２の内部へ入った雨水Ｗなどを水抜孔８によって確実に抜くことができる。即ち、中空材２の内部に雨水Ｗが貯まらない構造にすることができる。
【００６８】
（作用効果５）この実施例の屋根構造では、傾斜した屋根面部材１６に取付部１７を介して太陽電池パネル１８を取付けることで、太陽電池パネル１８に太陽光発電を行わせることができる。
【００６９】
この際、屋根面部材１６に太陽電池パネル１８を取付けるための取付部１７に対し、スペーサ部材１９を介して雪止部材１を太陽電池パネル１８の上面から浮いた状態で取付けるようにした。これにより、雪止部材１が太陽電池パネル１８に対して直接接触しなくなるため、例えば、太陽電池パネル１８の上面に沿って屋根３４を流下してきた雨水Ｗを雪止部材１が受けて太陽電池パネル１８の下面側へ誘導してしまうようなことがなくなり、太陽電池パネル１８の下面側へ誘導された雨水Ｗによる漏水のリスクのない構造とすることができる。
【００７０】
（作用効果６）この実施例の屋根構造を、中空材２と傾斜起立片３とを有する雪止部材１を備えるものとした。そして、中空材２に設けた傾斜起立片３により、雪止部材１は、必要な雪止め機能を得ることができる。また、中空材２は閉断面であるため、雪止部材１の断面強度を十分に上げることができる。よって、雪止部材１をどのような取付け方にしても、雪止部材１は必要な強度を確保することができる。よって、例えば、屋根３４を流下してきた雨水Ｗを雪止部材１が受け止めないような取付け方などとすることができるようになり、雪止部材１による漏水リスクをなくすことが可能となる。
【００７１】
（作用効果７）この実施例の屋根構造では、雪止部材１の固定部５を中空材２に設けた。これにより、断面強度の高い中空材２を太陽電池パネル１８の取付部１７に対する雪止部材１の取付けに使うことができる。よって、取付部１７に対する雪止部材１の取付強度を高めることができる。また、固定部５を中空材２に設けることで、固定部５が外部から目立たないようにすることができ、雪止部材１の見栄えを向上することができる。
【００７２】
（作用効果８）この実施例の屋根構造では、雪止部材１の固定部５に設けられた固定孔６と対向する透孔７を中空材２に設けた。これにより、透孔７を通して固定孔６にネジ２７を差し込むことで雪止部材１を太陽電池パネル１８の取付部１７に取付けることが可能となる。よって、太陽電池パネル１８の取付部１７に対する雪止部材１の取付けを容易且つ確実でしかも見栄え良く行うことができる。
【００７３】
（作用効果９）この実施例の屋根構造では、雪止部材１の中空材２の下部に水抜孔８を設けた。これにより、中空材２の内部へ入った雨水Ｗなどを水抜孔８によって確実に抜くことができる。即ち、雪止部材１を、中空材２の内部に雨水Ｗが貯まらない構造にすることができる。そして、水抜孔８から出た雨水Ｗは、太陽電池パネル１８の上面に沿って支障なく流下する。
【００７４】
（作用効果１０）この実施例の建物３１によれば、上記雪止部材１および屋根構造と同様の作用効果を得ることができる。
【００７５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７６】
１    雪止部材
２    中空材
３    傾斜起立片
５    固定部
６    固定孔
７    透孔
８    水抜孔
１６  屋根面部材
１７  取付部
１８  太陽電池パネル
１９  スペーサ部材
２１  隙間部
３１  建物
３４  屋根
【図１】
2018162558.tif 000003
【図２】
2018162558.tif 000004
【図３】
2018162558.tif 000005
【図４】
2018162558.tif 000006
【図５】
2018162558.tif 000007
【図６】
2018162558.tif 000008
【図７】
2018162558.tif 000009
【図８】
2018162558.tif 000010
【図９】
2018162558.tif 000011
【図１０】
2018162558.tif 000012